(57)【要約】【課題】  予熱トランスの２次巻線の相互間に電位差を生じさせない放電灯点灯装置を提供する。【解決手段】  予熱トランス９の２次巻線９ａの両端は、一端側に挿入されたコンデンサ１０ａを介して蛍光ランプＡのバラストチョーク６Ａ側のフィラメントと接続され、２次巻線９ｂの両端は、一端側に挿入されたコンデンサ１０ｂを介して蛍光ランプＢのバラストチョーク６Ｂ側のフィラメントと接続され、また、予熱トランス１２の２次巻線１２ａの両端は、一端側に挿入されたコンデンサ１３ａを介して蛍光ランプＡのもう一方のフィラメントと接続され、２次巻線１２ｂの両端は、一端側に挿入されたコンデンサ１３ｂを介して蛍光ランプＢのもう一方のフィラメントと接続されている。【選択図】        図１
2005285634.tif 000002
【特許請求の範囲】
【請求項１】
商用電源を直流に変換する直流変換回路と、
該直流変換回路からの直流電圧を高周波電圧に変換し、複数の放電灯に供給する高周波電圧発生回路と、
該高周波電圧発生回路の出力端間に接続された複数の予熱トランスとを備え、
前記の各予熱トランスは、予熱時にほぼ同じ電位となるフィラメントのみに電圧を供給する２次巻線を有してなることを特徴とする放電灯点灯装置。
【請求項２】
前記複数の放電灯は、前記高周波電圧発生回路に対して並列に接続されていることを特徴とする請求項１記載の放電灯点灯装置。
【請求項３】
前記予熱トランスに直列に接続されたスイッチング素子と、
複数の放電灯の予熱時間の間だけ前記スイッチング素子をオンする制御手段と
を備えていることを特徴とする請求項１又は２記載の放電灯点灯装置。
【発明の詳細な説明】
【技術分野】
【０００１】
本発明は、例えば蛍光ランプを点灯する放電灯点灯装置に係わり、さらに詳しくは、蛍光ランプの各フィラメントと予熱トランスとの接続に関するものである。
【背景技術】
【０００２】
従来の放電灯点灯装置は、予熱トランスの１次巻線が高周波電圧発生回路に接続され、予熱トランスの２次巻線がそれぞれコンデンサを介して蛍光ランプの各フィラメントに接続されている（例えば、特許文献１参照）。
【特許文献１】特開平１０−３２６６８５号（第３頁、図１）
【発明の開示】
【発明が解決しようとする課題】
【０００３】
前述した従来の放電灯点灯装置では、蛍光ランプを始動するとき、予熱トランスの２次巻線で蛍光ランプ両端にあるフィラメントを予熱し、蛍光ランプの両端のフィラメント間に高電圧を印加して始動する。始動時に予熱トランスの２次巻線間には蛍光ランプを始動させる高電圧が印加され、このため、予熱トランスの２次巻線の相互を絶縁部材で十分に絶縁する必要があり、予熱トランスそのものが大型になっていた。
【０００４】
本発明は、かかる課題を解決するためになされたもので、予熱トランスの２次巻線の相互間に電位差を生じさせない放電灯点灯装置を提供することを目的とする。
【課題を解決するための手段】
【０００５】
本発明に係る放電灯点灯装置は、商用電源を直流に変換する直流変換回路と、直流変換回路からの直流電圧を高周波電圧に変換し、複数の放電灯に供給する高周波電圧発生回路と、高周波電圧発生回路の出力端間に接続された複数の予熱トランスとを備え、各予熱トランスは、予熱時にほぼ同じ電位となるフィラメントのみに電圧を供給する２次巻線を有している。
【発明の効果】
【０００６】
本発明においては、予熱時にほぼ同じ電位となるフィラメントのみに電圧を供給する２次巻線をそれぞれ各予熱トランスに設けるようにしたので、２次巻線相互間に電位差が生じなくなり、２次巻線間の絶縁を強化することがなくなり、予熱トランスを小型化できる。
【発明を実施するための最良の形態】
【０００７】
実施の形態１．
図１は本発明の実施の形態１を示す放電灯点灯装置の回路図である。図中に示す実施の形態１の放電灯点灯装置は、例えば２灯用の照明器具で、商用電源と接続されるノイズフィルタ１と、ノイズフィルタ１を介して入力される商用電源を全波整流すると共に、所定の直流電圧に昇圧するアクティブフィルタ２と、アクティブフィルタ２に直列に接続された例えば２つのＦＥＴ３ａ，３ｂ、及びこのＦＥＴ３ａ，３ｂを交互にオン・オフして直流電圧を高周波電圧に変換する制御回路３ｃを有する高周波電圧発生回路３と、高周波電圧発生回路３の出力端間に直列に接続された直流カット用コンデンサ５、バラストチョーク６Ａ及び蛍光ランプＡと、蛍光ランプＡに並列に接続された始動コンデンサ７Ａと、直流カット用コンデンサ５及びバラストチョーク６Ａの接続点に一端が接続されたバラストチョーク６Ｂと、このバラストチョーク６Ｂを介して蛍光ランプＡに並列に接続された蛍光ランプＢと、蛍光ランプＢに並列に接続された始動コンデンサ７Ｂと、高周波電圧発生回路３の出力端間に接続された直流カット用コンデンサ８及び予熱トランス９と、前記と同様に高周波電圧発生回路３の出力端間に接続された直流カット用コンデンサ１１及び予熱トランス１２とを備えている。
【０００８】
予熱トランス９の２次巻線９ａの両端は、一端側に挿入されたコンデンサ１０ａを介して蛍光ランプＡのバラストチョーク６Ａ側のフィラメントと接続され、２次巻線９ｂの両端は、一端側に挿入されたコンデンサ１０ｂを介して蛍光ランプＢのバラストチョーク６Ｂ側のフィラメントと接続されている。また、予熱トランス１２の２次巻線１２ａの両端は、一端側に挿入されたコンデンサ１３ａを介して蛍光ランプＡのもう一方のフィラメントと接続され、２次巻線１２ｂの両端は、一端側に挿入されたコンデンサ１３ｂを介して蛍光ランプＢのもう一方のフィラメントと接続されている。
【０００９】
次に、実施の形態１の放電灯点灯装置の動作について図２及び図３を参照しながら説明する。図２は発振周波数との関係を示す共振電圧の曲線図、図３は蛍光ランプの始動時間との関係を示す発振周波数の変化図である。
本装置に商用電源が投入されると、制御回路３ｃは、周波数ｆ１を発振し、ＦＥＴ３ａ，３ｂを交互にオン／オフして高周波電圧を発生させる。この周波数ｆ１でのＦＥＴ３ａ，３ｂの制御は、図３に示すように時間ｔ１まで継続される。この間、予熱トランス９は、２次巻線９ａ，９ｂをそれぞれ通じて蛍光ランプＡ，Ｂのバラストチョーク６Ａ，６Ｂ側の各フィラメントをそれぞれ予熱し、一方、予熱トランス１２は、２次巻線１２ａ，１２ｂをそれぞれ通じて蛍光ランプＡ，Ｂのもう一方の各フィラメントをそれぞれ予熱する。時間ｔ１が経過すると、制御回路３ｃは、図２に示すように発振周波数をｆ１から順にｆ２に下げる。この時、蛍光ランプＡはバラストチョーク６Ａと始動コンデンサ７Ａによる共振電圧によって点灯し、また、蛍光ランプＢはバラストチョーク６Ｂと始動コンデンサ７Ｂによる共振電圧によって点灯する（図２、図３参照）。
【００１０】
以上のように実施の形態１によれば、予熱期間、予熱トランス９の２次巻線９ａ，９ｂによって蛍光ランプＡ，Ｂのバラストチョーク６Ａ，６Ｂ側の各フィラメントをそれぞれ予熱し、一方、予熱トランス１２の２次巻線１２ａ，１２ｂによって蛍光ランプＡ，Ｂの一方の各フィラメントをそれぞれ予熱するようにしたので、予熱トランス９の２次巻線９ａ，９ｂの相互間がほぼ同電位に、また予熱トランス１２の２次巻線１２ａ，１２ｂの相互間がほぼ同電位となり、このため、予熱トランス９の２次巻線９ａ，９ｂ間及び予熱トランス１２の２次巻線１２ａ，１２ｂ間の絶縁を強化する必要がなくなり、各予熱トランス９，１２をそれぞれ小型化できる。
【００１１】
実施の形態２．
図４は本発明の実施の形態２を示す放電灯点灯装置の回路図である。なお、図１で説明した実施の形態１と同一又は相当部分には同じ符号を付し説明を省略する。
実施の形態２の放電灯点灯装置は、３灯目の蛍光ランプＣが蛍光ランプＢにバラストチョーク６Ｃを介して並列に接続され、この蛍光ランプＣに並列に始動コンデンサ７Ｃが接続され、予熱トランス９，１２にそれぞれ２次巻線９ｃ，１２ｃが設けられた構成となっている。その２次巻線９ｃの両端は、一端側に挿入されたコンデンサ１０ｃを介して蛍光ランプＣのバラストチョーク６Ｃ側のフィラメントと接続され、２次巻線１２ｃの両端は、一端側に挿入されたコンデンサ１３ｃを介して蛍光ランプＣのもう一方のフィラメントと接続されている。本装置の動作については、前述した実施の形態１の放電灯点灯装置とほぼ同じであるため省略する。
【００１２】
以上のように実施の形態２においては、各予熱トランス９，１２のそれぞれの２次巻線の相互間に電位差が生じないフィラメントのみを予熱するようにしたので、予熱トランス９の２次巻線９ａ，９ｂ，９ｃ間の絶縁及び予熱トランス１２の２次巻線１２ａ，１２ｂ，１２ｃ間の絶縁を強化する必要がなくなり、各予熱トランス９，１２をそれぞれ小型化できる。
【００１３】
実施の形態３．
図５は本発明の実施の形態３を示す放電灯点灯装置の回路図である。なお、図１で説明した実施の形態１と同一又は相当部分には同じ符号を付し説明を省略する。
実施の形態３の放電灯点灯装置は、図示せぬ高周波電圧発生回路３の出力端間に直列に接続された直流カット用コンデンサ９及び予熱トランス９，１２と、前記と同様に高周波電圧発生回路３の出力端間に直列に接続された直流カット用コンデンサ１４、バラストチョーク１５及び始動コンデンサ１６と、始動コンデンサ１６にそれぞれバランサ１７を介して並列に接続された２灯の蛍光ランプＡ，Ｂとを備えている。
【００１４】
予熱トランス９の２次巻線９ａの両端は、一端側に挿入されたコンデンサ１０ａを介して蛍光ランプＡのバランサ１７側のフィラメントと接続され、２次巻線９ｂの両端は、一端側に挿入されたコンデンサ１０ｂを介して蛍光ランプＢのバランサ１７側のフィラメントと接続されている。また、予熱トランス１２の２次巻線１２ａの両端は、一端側に挿入されたコンデンサ１３ａを介して蛍光ランプＡのもう一方のフィラメントと接続され、２次巻線１２ｂの両端は、一端側に挿入されたコンデンサ１３ｂを介して蛍光ランプＢのもう一方のフィラメントと接続されている。本装置の動作については、基本的に実施の形態１の放電灯点灯装置とほぼ同じであるため省略する。
【００１５】
以上のように実施の形態３においては、各予熱トランス９，１２のそれぞれの２次巻線の相互間に電位差が生じないフィラメントのみを予熱するようにしたので、予熱トランス９の２次巻線９ａ，９ｂ間の絶縁及び予熱トランス１２の２次巻線１２ａ，１２ｂ間の絶縁を強化する必要がなくなり、各予熱トランス９，１２をそれぞれ小型化できる。
【００１６】
実施の形態４．
図６は本発明の実施の形態４を示す放電灯点灯装置の回路図である。なお、図１で説明した実施の形態１と同一又は相当部分には同じ符号を付し説明を省略する。
実施の形態４の放電灯点灯装置は、図示せぬ高周波電圧発生回路３の出力端間に直流カット用コンデンサ１８及び予熱トランス１９が挿入され、始動コンデンサ７Ａに２灯の蛍光ランプＡ１，Ａ２が接続され、始動コンデンサ７Ｂに別の２灯の蛍光ランプＢ１，Ｂ２が接続された構成となっている。前述した予熱トランス１９の２次巻線１９ａの両端は、一端側に挿入されたコンデンサ２０ａを介して蛍光ランプＡ１，Ａ２の対向側の各フィラメントと接続され、２次巻線１９ｂの両端は、一端側に挿入されたコンデンサ２０ｂを介して蛍光ランプＢ１，Ｂ２の対向側の各フィラメントと接続されている。
【００１７】
前記のように構成された実施の形態４の放電灯点灯装置においては、商用電源が投入された場合、予熱トランス９により、蛍光ランプＡ１のバラストチョーク６Ａ側のフィラメントを予熱しすると共に、蛍光ランプＢ１のバラストチョーク６Ｂ側のフィラメントを予熱し、予熱トランス１９により、蛍光ランプＡ１，Ａ２の対向側の各フィラメントと蛍光ランプＢ１，Ｂ２の対向側の各フィラメントとをそれぞれ予熱し、さらに、予熱トランス１２により蛍光ランプＡ２のもう一方のフィラメントを予熱すると共に、蛍光ランプＢ２のもう一方のフィラメントを予熱する。
【００１８】
以上のように実施の形態４においては、各予熱トランス９，１２，１９のそれぞれの２次巻線の相互間に電位差が生じないフィラメントのみを予熱するようにしたので、予熱トランス９，１２，１９のそれぞれの２次巻線間の絶縁を強化する必要がなくなり、各予熱トランス９，１２，１９をそれぞれ小型化できる。
【００１９】
実施の形態５．
実施の形態５は、例えば、図７に示すように、予熱トランス９，１２に直列にスイッチング素子のＦＥＴ３ｃを接続し、高周波電圧発生回路３の制御回路３ｃによってそのＦＥＴ３ｃを制御するようにしたものである。その制御回路３ｃは、周波数ｆ１を発振した際に、ＦＥＴ３ｃをオンして各予熱トランス９，１２に高周波電圧を印加し、この状態を時間ｔ１まで継続する（図３参照）。そして、時間ｔ１経過後にＦＥＴ３ｃをオフする。
【００２０】
このように、蛍光ランプの予熱時にＦＥＴ３ｃをオンして各蛍光ランプのフィラメントを予熱し、予熱期間の時間ｔ１経過したときにＦＥＴ３ｃをオフして各蛍光ランプのフィラメントに電圧が供給されないようにしたので、予熱トランス９の２次巻線９ａ，９ｂ間及び予熱トランス１２の２次巻線１２ａ，１２ｂ間の絶縁を強化する必要がなく、各予熱トランス９，１２をそれぞれ小型化できるという効果に加え、蛍光ランプのフィラメントの寿命が延びるという効果がある。
【００２１】
前述した各実施の形態において、蛍光ランプに並列に接続される始動コンデンサは、高周波電圧発生回路３側からみたとき、蛍光ランプのフィラメントを介した位置に接続される場合と、蛍光ランプより手前に設けられる場合とがあるが、予熱期間でのプリヒート量、点灯時の予熱電流によって決定すればよい。
【図面の簡単な説明】
【００２２】
【図１】本発明の実施の形態１を示す放電灯点灯装置の回路図である。
【図２】発振周波数との関係を示す共振電圧の曲線図である。
【図３】蛍光ランプの始動時間との関係を示す発振周波数の変化図である。
【図４】本発明の実施の形態２を示す放電灯点灯装置の回路図である。
【図５】本発明の実施の形態３を示す放電灯点灯装置の回路図である。
【図６】本発明の実施の形態４を示す放電灯点灯装置の回路図である。
【図７】本発明の実施の形態５に係る放電灯点灯装置の予熱トランスの制御を示す回路図である。
【符号の説明】
【００２３】
１  ノイズフィルタ、２  アクティブフィルタ、３  高周波電圧発生回路、
３ａ，３ｂ，３ｄ  ＦＥＴ、３ｃ  制御回路、５，８，１１，１８  直流カット用コンデンサ、６Ａ，６Ｂ，６Ｃ  バラストチョーク、７Ａ，７Ｂ  始動コンデンサ、９  予熱トランス、９ａ，９ｂ  ２次巻線、１２  予熱トランス、１２ａ，１２ｂ  ２次巻線、
Ａ，Ｂ，Ｃ  蛍光ランプ、Ａ１，Ａ２，Ｂ１，Ｂ２  蛍光ランプ、１９  予熱トランス、１９ａ，１９ｂ  ２次巻線。
【図１】
2005285634.tif 000003
【図２】
2005285634.tif 000004
【図３】
2005285634.tif 000005
【図４】
2005285634.tif 000006
【図５】
2005285634.tif 000007
【図６】
2005285634.tif 000008
【図７】
2005285634.tif 000009